【手続補正書】
【提出日】平成16年12月3日(2004.12.3)
【手続補正１】
【補正対象書類名】明細書
【補正対象項目名】発明の名称
【補正方法】変更
【補正の内容】
【発明の名称】増幅器および通信用電力増幅器
【手続補正２】
【補正対象書類名】明細書
【補正対象項目名】特許請求の範囲
【補正方法】変更
【補正の内容】
【特許請求の範囲】
【請求項１】
複数の第１の単位トランジスタセルを含み、第１の周波数帯の信号を出力するための第１の出力トランジスタと、
複数の第２の単位トランジスタセルを含み、前記第１の周波数帯と異なる第２の周波数帯の信号を出力する第２の出力トランジスタと、
前記第１の出力トランジスタの出力ノードと前記第２の出力トランジスタの出力ノードとの間に配置されるインダクタンス素子とを備える、増幅器。
【請求項２】
前記第１および第２の出力トランジスタは、ある方向に沿って整列される２個の第１の単位トランジスタセルの間に１個の第２の単位トランジスタセルが形成される部分を少なくとも１箇所含む、請求項１記載の増幅器。
【請求項３】
前記第１の出力トランジスタの出力ノードと前記第２の出力トランジスタの出力ノードとの間に、前記インダクタンス素子と直列に接続される容量素子をさらに備える、請求項１または２記載の増幅器。
【請求項４】
前記第１の単位トランジスタセルと前記第２の単位トランジスタセルは、第１の方向と前記第１の方向と直交する第２の方向の少なくとも一方方向に沿って交互に配置される、請求項２記載の増幅器。
【請求項５】
前記第１の単位トランジスタセルと前記第２の単位トランジスタセルとは、第１の方向および前記第１の方向に直交する第２の方向において交互に配置される、請求項２記載の増幅器。
【請求項６】
前記第１の単位トランジスタセルと前記第２の単位トランジスタセルとは、互いに交互に取囲むように配置される、請求項２記載の増幅器。
【請求項７】
前記複数の第１の単位トランジスタセルと前記複数の第２の単位トランジスタセルは、第１の方向および前記第１の方向と直交する第２の方向に整列して配置され、各々が第１の導通ノードと第２の導通ノードと制御ノードとを含み、
前記第１の出力トランジスタは、さらに、
前記複数の第１の単位トランジスタセルの第１の導通ノードを電気的に相互接続する前記第１の方向に延在して配置される複数の第１の配線と、
前記複数の第１の単位トランジスタセルの第２の導通ノードを電気的に相互接続する前記第２の方向に延在して配置される複数の第２の配線と、
前記第１の単位トランジスタセルの制御ノードを電気的に相互接続する前記第２の方向に沿って延在する複数の第３の配線と、
前記第１の配線に電気的に接続されて前記第１の出力トランジスタの出力ノードを形成する前記第２の方向に延在する第４の配線とを含み、
前記第２の出力トランジスタは、さらに、
前記第１の方向に沿って延在して配置され、かつ前記第２の方向において前記第１の配線と交互に配置され、前記第２の単位トランジスタセルの第１の導通ノードを電気的に相互接続する第５の配線と、
前記第２の方向に沿って延在して前記第１の方向において前記第２の配線と交互に配置され、前記第２の単位トランジスタセルの第２の導通ノードを電気的に相互接続する複数の第６の配線と、
前記第２の方向に沿って延在して前記第１の方向において前記第３の配線と交互に配置され、前記第２の単位トランジスタセルの制御ノードを電気的に相互接続する複数の第７の配線と、
前記第４の配線と対向して前記第２の方向に沿って延在して配置され、前記第５の配線と電気的に相互接続されて前記第２の出力トランジスタの出力ノードを形成する第８の配線とを有し、
前記第２の配線と前記第６の配線とは、所定の電圧を伝達する基準電圧線に相互接続され、かつ
前記第１および第５の配線は、前記第１および第２の方向の少なくとも一方の方向において交互に対応の単位トランジスタセルに接続する、請求項１記載の増幅器。
【請求項８】
前記第１および第５の配線は、前記第１の方向において整列して配置される単位セル列各々に対応して配置される、請求項７記載の増幅器。
【請求項９】
複数の第１の単位トランジスタセルを有し、第１の周波数帯の信号を出力するための第１の出力トランジスタと、
前記第１の単位トランジスタセルと互いに交互に取囲むように配置される複数の第２の単位トランジスタセルを有し、第２の周波数帯の信号を出力するための第２の出力トランジスタとを備える、増幅器。
【請求項１０】
前記複数の第１の単位トランジスタセルと前記複数の第２の単位トランジスタは、第１の方向および前記第１の方向と直交する第２の方向に整列して配置され、かつ各々が、第１の導通ノードと第２の導通ノードと制御ノードとを含み、
第１の出力トランジスタは、さらに、
前記複数の第１の単位トランジスタセルの第１の導通ノードを電気的に相互接続する前記第１の方向に延在して配置される複数の第１の配線と、
前記複数の第１の単位トランジスタセルの第２の導通ノードを電気的に相互接続する前記第２の方向に延在して配置される複数の第２の配線と、
前記第１の単位トランジスタセルの制御ノードを電気的に相互接続する前記第２の方向に沿って延在する複数の第３の配線と、
前記第１の配線に電気的に接続されて前記第１の出力トランジスタの出力ノードを形成する前記第２の方向に延在する第４の配線とを含み、
前記第２の出力トランジスタは、さらに、
前記第１の方向に沿って延在して配置され、かつ前記第２の方向において前記第１の配線と交互に配置され、前記第２の単位トランジスタセルの第１の導通ノードを電気的に相互接続する複数の第５の配線と、
前記第２の方向に沿って延在して前記第１の方向において前記第２の配線と交互に配置され、前記第２の単位トランジスタセルの第２の導通ノードを電気的に相互接続する複数の第６の配線と、
前記第２の方向に沿って延在して前記第１の方向において前記第３の配線と交互に配置され、前記第２の単位トランジスタセルの制御ノードを電気的に相互接続する複数の第７の配線と、
前記第４の配線と前記第１および第２の単位トランジスタセルの形成領域に関して対向して前記第２の方向に沿って延在して配置され、前記第５の配線と電気的に相互接続されて前記第２の出力トランジスタの出力ノードを形成する第８の配線とを有し、
前記第２の配線と前記第６の配線とは、所定の電圧を伝達する基準電圧線に相互接続され、
前記第１および第５の配線は、前記第１の単位トランジスタセルと前記第２の単位トランジスタセルとが、互いに交互に取囲むように配置されるように対応の単位トランジスタに接続する、請求項９記載の増幅器。
【請求項１１】
前記第１の周波数帯は、前記第２の周波数帯の周波数成分の整数倍の周波数成分を含む、請求項１または９記載の増幅器。
【請求項１２】
複数の第１の単位トランジスタセルを含み、第１の周波数帯の信号を出力するための第１の出力トランジスタと、複数の第２の単位トランジスタセルを含み、前記第１の周波数帯と異なる第２の周波数帯の信号を出力する第２の出力トランジスタとを備え、前記第１および第２の出力トランジスタは、所定の方向に沿って整列される２個の第１の単位トランジスタセルの間に１個の第２の単位トランジスタセルが形成される部分を少なくとも１箇所含む、増幅器。
【請求項１３】
互いにコレクタが結合された複数の第１単位トランジスタセルを有し、第１の周波数帯の信号を処理する第１のへテロバイポーラトランジスタと、
互いにコレクタが結合された複数の第２単位トランジスタセルを有し、前記第１の周波数帯と異なる第２の周波数帯の信号を処理する第２のヘテロバイポーラトランジスタとを備え、
前記複数の第１単位トランジスタセルは、所定の方向に沿って配置された２個の第１単位トランジスタセルを備え、前記複数の第２単位トランジスタセルは、前記２個の第１単位トランジスタセル間に配置されている、通信用電力増幅器。
【請求項１４】
前記複数の第１単位トランジスタセルのベースは互いに結合され、前記複数の第１単位トランジスタセルのエミッタは互いに結合され、前記複数の第２単位トランジスタセルのベースは互いに結合され、前記複数の第２単位トランジスタセルのエミッタは互いに結合される、請求項１３記載の通信用電力増幅器。
【請求項１５】
前記第１のヘテロバイポーラトランジスタと前記第２のヘテロバイポーラトランジスタは、１つの半導体チップに形成される、請求項１４記載の通信用電力増幅器。
【請求項１６】
前記第１のへテロバイポーラトランジスタへ増幅された信号を供給する第１の増幅回路と、前記第２のヘテロバイポーラトランジスタへ増幅された信号を供給する第２の増幅回路をさらに備える、請求項１５記載の通信用電力増幅器。
【請求項１７】
前記複数の第１単位トランジスタセルのベースは、バラスト抵抗を介して互いに接続され、前記複数の第２単位トランジスタセルのベースはバラスト抵抗を介して互いに接続される、請求項１５記載の通信用電力増幅器。
【請求項１８】
前記複数の第１単位トランジスタセルのエミッタは、バラスト抵抗を介して互いに接続され、前記複数の第２単位トランジスタセルのエミッタは、バラスト抵抗を介して互いに結合される、請求項１５記載の通信用電力増幅器。
【請求項１９】
前記複数の第１単位トランジスタセルのエミッタは、バラスト抵抗を介して互いに接続され、前記複数の第２単位トランジスタセルのエミッタは、バラスト抵抗を介して互いに結合される、請求項１７記載の通信用電力増幅器。
【手続補正３】
【補正対象書類名】明細書
【補正対象項目名】００７８
【補正方法】変更
【補正の内容】
【００７８】
好ましくは、第１の周波数帯は、第２の周波数帯の高調波成分を含む周波数帯である。
この発明の第３の観点に係る増幅器は、複数の第１の単位トランジスタセルを含み、第１の周波数帯の信号を出力するための第１の出力トランジスタと、複数の第２の単位トランジスタセルを含み、第１の周波数帯と異なる第２の周波数帯の信号を出力する第２の出力トランジスタとを備える。第１および第２の出力トランジスタは、所定の方向に沿って整列される２個の第１の単位トランジスタセルの間に１個の第２の単位トランジスタセルが形成される部分を少なくとも１箇所含む。
この発明の第４の観点に係る通信用電力増幅器は、互いにコレクタが結合された複数の第１単位トランジスタセルを有し、第１の周波数帯の信号を処理する第１のへテロバイポーラトランジスタと、互いにコレクタが結合された複数の第２単位トランジスタセルを有し、第１の周波数帯と異なる第２の周波数帯の信号を処理する第２のヘテロバイポーラトランジスタとを備える。複数の第１単位トランジスタセルは、所定の方向に沿って配置された２個の第１単位トランジスタセルを備え、複数の第２単位トランジスタセルは、これらの２個の第１単位トランジスタセル間に配置されている。
好ましくは、複数の第１単位トランジスタセルのベースは互いに結合され、複数の第１単位トランジスタセルのエミッタは互いに結合される。また、複数の第２単位トランジスタセルのベースは互いに結合され、複数の第２単位トランジスタセルのエミッタは互いに結合される。
好ましくは、第１のヘテロバイポーラトランジスタと第２のヘテロバイポーラトランジスタは、１つの半導体チップに形成される。
好ましくは、第１のへテロバイポーラトランジスタへ増幅された信号を供給する第１の増幅回路と、前記第２のヘテロバイポーラトランジスタへ増幅された信号を供給する第２の増幅回路とがさらに設けられる。
好ましくは、複数の第１単位トランジスタセルのベースは、バラスト抵抗を介して互いに接続され、複数の第２単位トランジスタセルのベースはバラスト抵抗を介して互いに接続される。
好ましくは、複数の第１単位トランジスタセルのエミッタは、バラスト抵抗を介して互いに接続され、複数の第２単位トランジスタセルのエミッタは、バラスト抵抗を介して互いに結合される。